(57)【要約】【課題】ＤＶＤなどの光ディスク装置において、ＦＧ（Ｆｒｅｑｕｅｎｃｙ  Ｇｅｎｅｒａｔｏｒ）システムを用いることなく、光ディスクの回転周期データを得る。【解決手段】光ディスク２上のトラック２１に記録されている所定のアドレス信号２３を検出すると、光ピックアップ５によるビームスポット５１の位置を現在のトラックよりも１本内側のトラックにトラックジャンプさせ、同じアドレス信号２３を再検出するまでの時間を測定し、光ディスク２の回転周期データとする。【選択図】  図３
2004326930.tif 000002
【特許請求の範囲】
【請求項１】
光ディスクを回転させるスピンドルモータと、前記光ディスクに対して光ビームを照射してデータの記録及び／又は再生を行う光ピックアップと、前記光ピックアップを前記光ディスクの半径方向に移動させるトラッキングサーボ機構と、前記光ピックアップ及び前記とラッキングサーボ機構を制御する制御部を備えた光ディスク装置において、
前記制御部は、
前記光ピックアップにより前記光ディスクから読み出されたデータの中から所定のアドレス信号を検出したときに、現在のトラックから１本内側のトラックに前記光ピックアップの位置をジャンプさせるアドレススチルジャンプ機能を有し、
前記アドレススチルジャンプを所定回数繰り返し、前記所定のアドレス信号が検出されてから次に前記所定のアドレス信号が検出されるまでの時間を測定し、得られた複数の時間の平均値を演算し、演算された平均値を前記光ディスクの回転周期データとして出力することにより、ＦＧ（Ｆｒｅｑｕｅｎｃｙ  Ｇｅｎｅｒａｔｏｒ）システムを用いることなく光ディスクの回転周期の測定が可能なことを特徴とする光ディスク装置。
【請求項２】
光ディスク上の現在のトラックから１本内側のトラックに光ピックアップの位置をジャンプさせるトラックジャンプ機能を有する光ディスク装置において、
前記光ピックアップにより前記光ディスクから所定の信号が読み出されたときにトラックジャンプを行い、前記所定の信号が読み出されてから次に前記所定の信号が読み出されるまでの時間を測定し、測定した時間を前記光ディスクの回転周期データとして出力することを特徴とする光ディスク装置。
【請求項３】
前記所定の信号は、前記光ディスクのトラック上に所定の間隔で記録されているアドレス信号であることを特徴とする請求項２に記載の光ディスク装置。
【請求項４】
前記ジャンプは、予めＩＣ回路に組み込まれているポーズ（Ｐａｕｓｅ）動作のためのアドレススチルジャンプ機能を用いて行うことを特徴とする請求項２又は３に記載の光ディスク装置。
【発明の詳細な説明】
【０００１】
【発明の属する技術分野】
本発明は、光ディスク装置における光ディスクの回転周期の測定に関する。
【０００２】
【従来の技術】
光ディスク装置では、例えば光ディスクの１回転におけるジッタの測定などを行う際に、光ディスクの回転周期データが必要である。この光ディスクの回転周期データを得るために、従来の光ディスク装置では、光ディスクを搭載して回転させるテーブルの裏面に、反射部と非反射部とを交互に設け、テーブルの裏面に光を照射して、反射部により反射される光の周期を測定して、光ディスクの回転周期や回転速度などを測定するＦＧ（Ｆｒｅｑｕｅｎｃｙ  Ｇｅｎｅｒａｔｏｒ）システムが用いられている。
【０００３】
なお、光ディスクの回転周期を測定するものではないが、光ディスク装置におけるトラックジャンプに関するものとして、以下の特許文献が知られている。
【０００４】
特許文献１では、光ディスクの内周側から外周側に向けてゾーンごとに段階的に光ディスクの回転速度を下げてデータの再生を行う光ディスク装置において、ゾーン切り換え直後の光ディスク回転速度の急激な変動によるデータ読み出しエラーを防止するために、ゾーン切り換え後の光ディスク回転速度が正規の回転速度になるまで、ゾーン切り換え部でトラックジャンプを繰り返している。すなわち、特許文献１におけるトラックジャンプはゾーン切り換え時におけるデータ読み出しトラックの連続性を確保するためのものであり、光ディスク回転周期の測定を目的とした後述する本発明のトラックジャンプとは異なる。
【０００５】
特許文献２では、光ディスクごとに固有の線速度が異なる点に鑑み、正確にトラックジャンプを行うために、スピンドルモータの回転数を検出する回転数検出回路からの出力パルスを用いて、光ディスクの回転周期、線速度及びジャンプ量を演算している。すなわち、特許文献２はＦＧシステムのような回転数測定回路などを必要とする点で本発明とは本質的に異なる。
【０００６】
特許文献３では、光ディスク再生中に、光ディスクの傷などにより別のトラックに光ピックアップが移動するトラックジャンプが発生したときに、誤り訂正能力を低下させることにより、トラックジャンプによる誤訂正を防止している。すなわち、特許文献３におけるトラックジャンプは、光ディスクの傷などに起因する突発的なものであるのに対し、後述する本発明におけるトラックジャンプは光ディスクの回転周期を測定するための意図的なものである点で相違している。
【０００７】
【特許文献１】
特開平７−２４４９４２号公報  （段落００２４）
【特許文献２】
特開平４−３１３８２１号公報  （段落００２５）
【特許文献３】
特開平１０−２２８６４９号公報  （段落０００５）
【０００８】
【発明が解決しようとする課題】
上記ＦＧシステムは、光ディスクに対してデータの記録再生を行う光ピックアップとは別に設けられており、ＬＥＤなどの発光素子、フォトダイオードなどの受光素子及び回路基板が必要であり、光ディスク装置のコストアップの要因となっていた。
【０００９】
本発明は、上記従来例の問題点を解決するためになされたものであり、ＦＧシステムを用いることなく、光ディスクの回転周期の測定が可能な光ディスク装置を提供することを目的としている。
【００１０】
【課題を解決するための手段】
上記目的を達成するため、請求項１の発明は、光ディスクを回転させるスピンドルモータと、前記光ディスクに対して光ビームを照射してデータの記録及び／又は再生を行う光ピックアップと、前記光ピックアップを前記光ディスクの半径方向に移動させるトラッキングサーボ機構と、前記光ピックアップ及び前記とラッキングサーボ機構を制御する制御部を備えた光ディスク装置において、前記制御部は、前記光ピックアップにより前記光ディスクから読み出されたデータの中から所定のアドレス信号を検出したときに、現在のトラックから１本内側のトラックに前記光ピックアップの位置をジャンプさせるアドレススチルジャンプ機能を有し、前記アドレススチルジャンプを所定回数繰り返し、前記所定のアドレス信号が検出されてから次に前記所定のアドレス信号が検出されるまでの時間を測定し、得られた複数の時間の平均値を演算し、演算された平均値を前記光ディスクの回転周期データとして出力することにより、ＦＧ（Ｆｒｅｑｕｅｎｃｙ  Ｇｅｎｅｒａｔｏｒ）システムを用いることなく光ディスクの回転周期の測定が可能なことを特徴とする。
【００１１】
このような構成によれば、アドレススチルジャンプ機能により、同一トラック上に記録されているデータを繰り返し再生し、その中に含まれる所定のアドレス信号が検出されてから次に同じ所定のアドレス信号が検出されるまでの時間を測定しているので、光ディスクが１周する回転周期を得ることができる。また、複数回測定した回転周期の平均値を求めているので、光ディスクの偏心などによる回転周期のばらつきを吸収することができ、測定精度が向上する。その結果、ＦＧシステムを廃止することができ、光ディスク装置のコスト低減が可能となる。
【００１２】
また、請求項２の発明は、光ディスク上の現在のトラックから１本内側のトラックに光ピックアップの位置をジャンプさせるトラックジャンプ機能を有する光ディスク装置において、前記光ピックアップにより前記光ディスクから所定の信号が読み出されたときにトラックジャンプを行い、前記所定の信号が読み出されてから次に前記所定の信号が読み出されるまでの時間を測定し、測定した時間を前記光ディスクの回転周期データとして出力することを特徴とする。
【００１３】
このような構成によれば、トラックジャンプ機能を用いて、トラックジャンプした位置からその位置まで光ディスクが１周する回転周期を測定することができる。特に、光ディスクの回転周期データにある程度の誤差が許容できる場合や光ディスクの回転が安定している場合は、トラックジャンプを繰り返し行わなくても、１回の測定で光ディスクの回転周期データが得られるので、演算処理時間を短縮することができる。
【００１４】
また、請求項３の発明は、前記所定の信号は、前記光ディスクのトラック上に所定の間隔で記録されているアドレス信号であることを特徴とする。
【００１５】
このように、所定の信号として予めアドレス信号を指定しておけば、光ディスク装置の自動調整のために、ジッタの測定などを自動的に行うことができる。
【００１６】
また、請求項４の発明は、前記ジャンプは、予めＩＣ回路に組み込まれているポーズ（Ｐａｕｓｅ）動作のためのアドレススチルジャンプ機能を用いて行うことを特徴とする。
【００１７】
このような構成により新規な部品を追加することなく、ファームウエア処理により、光ディスクの回転周期データを得ることができ、さらに光ディスク装置のコストダウン効果が得られる。
【００１８】
【発明の実施の形態】
以下、本発明の一実施の形態に係る光ディスク装置について、図面を参照しつつ説明する。
【００１９】
図１は、本発明の一実施の形態に係る光ディスク装置の構成を示すブロック図である。光ディスク装置１は、例えば、光ディスク２に向かって所定波長のレーザビームを照射し、光ディスクに記録されているデータを再生すると共に、記録可能な光ディスクに対してデータ再生時よりも強度（パワー）の大きいレーザビームを照射してデータを記録するものである。なお、本発明は、再生専用の光ディスク装置にも適用できることは言うまでもない。
【００２０】
図１に示すように、光ディスク装置１は、光ディスク２を保持するテーブル３と、テーブル３及びその上に保持された光ディスク２を回転駆動するスピンドルモータ４と、光ディスク２に対して光ビームを照射してデータの記録及び／又は再生を行う光ピックアップ５と、光ピックアップ５を光ディスク２の半径方向に移動させるトラッキングサーボ機構６と、光ピックアップ５及びトラッキングサーボ機構６を制御する制御部７と、光ピックアップ５から出力されるＲＦ信号を処理するためのＲＦ信号処理部８と、処理されたＲＦ信号をパーソナルコンピュータやモニタディスプレイ装置に出力するためのインタフェース（Ｉ／Ｆ）９などで構成されている。なお、テーブル３の底部には、光ディスク２（又はテーブル３）の回転周期や回転速度などを測定するためのＦＧシステムは設けられていない。
【００２１】
次に、３ビーム方式の光ピックアップ５の構成を図２に示す。光ピックアップ５は、所定の波長のレーザビームを光ディスク２に向けて出力する半導体レーザ１１と、半導体レーザ１１から出力されたレーザビームを３本のビームに分光する回折格子（ＧＲ）１２と、回折格子１２により分光されたビームを透過させるとともに、光ディスク２からの反射光を反射させる偏光ビームスプリッタ（ＰＢＳ）１３と、ビームの偏光状態を変換する１／４波長板（λ／４）１４と、ビームの光路を光ディスク２側に９０度曲げるためのミラー１５と、ミラー１５により光路を曲げられたビームを平行光束にするコリメータレンズ１６と、平行光束化されたビームを光ディスク２上に集光するための対物レンズ１７と、光ディスク２からの反射光を受光し、光の強度に応じた電気信号に変換し出力する受光素子（ＰＤＩＣ）１８と、偏光ビームスプリッタ１３により反射された光を受光素子１８上に集光する集光レンズ１９などで構成されている。
【００２２】
半導体レーザ１１から出力されたレーザビームは回折格子１２により回折され、０次回折光、±１次回折光、±２次回折光・・・に分光される。これらの回折光のうち、０次回折光は最も強度が高く、光ディスク２に対するデータの記録及び再生に用いられる。また、次に強度の高い１次回折光は、光ディスク２上でのトラッキング制御に用いられる。受光素子１８は、０次回折光及び±１次回折光に対応した３つの受光部を有し、それぞれ独立して信号を出力する。
【００２３】
ＲＦ信号処理部８は、光ピックアップ５の受光素子１８から出力されるアナログの信号を増幅し、Ａ／Ｄ変換して、所定のトラッキングエラー信号、フォーカシングエラー信号及び光ディスク２から読み出したデータに相当するＲＦ信号として出力する。通常のデータ再生動作では、トラッキングエラー信号及びフォーカシングエラー信号は制御部７に出力され、トラッキングサーボ制御及びフォーカシングサーボ制御に利用される。また、ＲＦ信号はインタフェース（Ｉ／Ｆ）９に出力され、光ディスク２のデータとしてパーソナルコンピュータやモニタディスプレイ装置に出力される。一方、光ディスク２の回転周期を測定する動作では、ＲＦ信号は制御部７に入力され、ＲＦ信号の中から所定のアドレス信号が検出される。
【００２４】
制御部７は、所定の制御プログラムを記憶したＲＯＭ、制御プログラムを実行するＣＰＵ及びデータを一時的に記憶するＲＡＭなどで構成され、スピンドルモータ４の回転のオン／オフ、光ピックアップ５の半導体レーザ１１の発光のオン／オフ、データの記録時及び再生時における半導体レーザ１１の強度の切り換え、トラッキングサーボ機構６による光ピックアップ５のトラッキング、図示しないフォーカシングサーボ機構による光ピックアップ５の対物レンズ１７のフォーカシングなどを制御する。
【００２５】
光ディスク装置１における諸動作は比較的限定されているため、装置の小型化及び低コスト化を目的として、制御部７を専用ＩＣ化したものが製品化されている。そのような制御ＩＣに予め組み込まれている動作の１つとして、例えば動画を特定のシーンで停止させるポーズ動作のためのアドレススチルジャンプ機能が設けられている。ポーズ動作とは、例えばユーザが静止を選択した画像のデータが記録されているセクタのアドレス信号を検出し、そのアドレス信号を検出すると、現在のトラックよりも１本内側のトラックにトラックジャンプする動作をいう。ユーザがポーズを解除するまでアドレススチルジャンプを繰り返すので、モニタ画面上には静止した画像が表示される。本実施の形態では、ＦＧシステムを設けることなく、このアドレススチルジャンプ機能を利用して、光ディスク２の回転周期の測定動作を行う。
【００２６】
次に、光ディスク２の回転周期の測定動作について説明する。図３は光ディスク２上のトラック及びトラックジャンプを示す図である。例えば、光ディスク２がＤＶＤ−ＲＷの場合、図３に示すように、ディスクの内側から外側に向かってらせん状にトラック２１が形成され、トラック上にセクタ２２を単位としてデータが分割して記録されており、セクタごとに所定のアドレス信号２３が記録されている。符号５１は光ピックアップ５から出射されたビームスポットを表し、実線は現在の位置、一点鎖線はトラックジャンプ後の位置を示す。なお、ビームスポット５１は、光ピックアップ５から光ディスク２に対して垂直に照射されているので、光ピックアップ５によるビームスポット５１の位置と光ピックアップ５の位置とは実質的に同じ意味であり、光ピックアップ５の位置と称している。
【００２７】
ディスクの回転周期の測定動作を示すフローチャートを図４に示す。光ディスク２の回転周期データが必要になると、制御部７はトラック上に記録されているアドレス信号のうち最初に現れるアドレス信号を検出し（Ｓ１）、検出したアドレス番号及びそのタイミングを記憶する（Ｓ２）。これと並行して、制御部７は、トラッキングサーボ機構６を駆動して光ピックアップ５の位置を現在のトラックから１本内側のトラックにトラックジャンプさせる（Ｓ３）。そして、上記アドレス信号を再検出する（Ｓ４）。光ディスク２が一周すると、上記アドレス信号が再び現れるので、ステップＳ１でアドレス信号を検出してからステップＳ４で同じアドレス信号を再検出するまでの時間が、光ディスク２が１周するのに要する時間、すなわち回転周期に相当する。そこで、ステップＳ２で記憶したタイミングを用いて光ディスク２の回転周期を測定し、その値を記憶する（Ｓ５）。そして、予め設定されているカウンタｎ（例えばｎ＝５）の値を１つ減らし（Ｓ６）、カウンタｎが０になったか否かを判定する（Ｓ７）。カウンタｎが０でなければ（Ｓ７でＮＯ）、ステップＳ３に戻ってトラックジャンプを行い、再度アドレス信号の検出を行う。これらの動作をカウンタｎが０になるまで繰り返す。カウンタｎが０になると（Ｓ７でＹＥＳ）、光ディスク２の回転周期の測定値がｎ個得られたので、これらｎ個の測定値の平均値を演算し、その値を光ディスク２の回転周期データとして出力し（Ｓ８）、このフローを終了する。
【００２８】
このように、本実施の形態では、光ディスク装置１に予め備えられているポーズ動作のためのアドレススチルジャンプ機能を利用し、光ディスク２に記録されている所定のアドレス信号を検出した後すぐにトラックジャンプを行い、次に同じアドレス信号を検出するまでの時間を光ディスク２の回転周期としているので、従来から用いられていたＦＧシステムを用いることなく光ディスク２の回転周期データを得ることができる。その結果、ＦＧシステムを廃止することができ、光ディスク装置のコスト低減が可能となる。また、トラックジャンプとアドレス信号の検出を複数回（ｎ回）繰り返して光ディスク２の回転周期を測定し、測定値の平均値を光ディスク２の回転周期データとして出力するので、光ディスク２の偏心などによる測定誤差を低減することができ、精度の高い回転周期データを得ることができる。
【００２９】
また、トラックジャンプを行うためのトリガーとして、予めアドレス信号を指定しておけば、光ディスク装置１の自動調整のために、ジッタの測定などを自動的に行うことができる。
【００３０】
また、制御部７として、予めポーズ動作のためのアドレススチルジャンプ機能が組み込まれている制御ＩＣ回路を用いることにより、新規な部品を追加することなく、ファームウエア処理により、光ディスク２の回転周期データを得ることができる。その結果、さらに光ディスク装置１のコストダウンを図ることができる。
【００３１】
なお、光ディスク２の回転周期データにある程度の誤差が許容できる場合や光ディスク２の回転が安定している場合は、トラックジャンプを繰り返し行わず、１回の測定により得られた値を光ディスク２の回転周期データとしてもよい（上記フローチャートでカウンタｎの初期値を１とする）。その結果、光ディスク２の回転周期の測定に要する演算処理時間を短縮することができる。
【００３２】
さらに、トラックジャンプを行うタイミングは、上記所定のアドレス信号を検出したときに限定されるものではなく、例えば制御部７から出力されるトラックジャンプ命令をトリガーとしてトラックジャンプを行い、トラックジャンプを行った時点で読み出されていたデータを再検出するように構成してもよい。
【００３３】
さらに、光ディスク装置では、データの読み出し速度（周速）を一定にするために、光ディスクの内側からデータを読み出すときの回転速度を最も速くし、外側に向かうにつれて徐々にその回転速度を遅くしている。本実施の形態によれば、上記のように光ディスク２の回転周期（ｔ）を測定することができるので、その回転周期を測定したトラックの半径（ｒ）が分かれば回転速度（ｖ＝２πｒ／ｔ）を演算で求めることができる。
【００３４】
【発明の効果】
以上説明したように、請求項１の発明によれば、光ディスク装置が予め有しているアドレススチルジャンプ機能により、同一トラック上に記録されているデータを繰り返し再生し、その中に含まれる所定のアドレス信号が検出されてから次に同じ所定のアドレス信号が検出されるまでの時間を測定しているので、光ディスクが１周する回転周期を得ることができる。また、複数回測定した回転周期の平均値を求めているので、光ディスクの偏心などによる回転周期のばらつきを吸収することができ、測定精度が向上する。その結果、ＦＧシステムを廃止することができ、光ディスク装置のコスト低減が可能となる。
【００３５】
また、請求項２の発明によれば、トラックジャンプ機能を用いて、トラックジャンプした位置からその位置まで光ディスクが１周する回転周期を測定することができる。特に、光ディスクの回転周期データにある程度の誤差が許容できる場合や光ディスクの回転が安定している場合は、トラックジャンプを繰り返し行わなくても、１回の測定で光ディスクの回転周期データが得られるので、演算処理時間を短縮することができる。
【００３６】
また、請求項３の発明によれば、所定の信号として、光ディスクのトラック上に所定の間隔で記録されているアドレス信号を指定しておけば、光ディスク装置の自動調整のために、ジッタの測定などを自動的に行うことができる。
【００３７】
また、請求項４の発明によれば、ジャンプを、予めＩＣ回路に組み込まれているポーズ（Ｐａｕｓｅ）動作のためのアドレススチルジャンプ機能を用いて行うことにより新規な部品を追加することなく、ファームウエア処理により、光ディスクの回転周期データを得ることができ、さらに光ディスク装置のコストダウン効果が得られる。
【図面の簡単な説明】
【図１】本発明の一実施の形態に係る光ディスク装置の構成を示すブロック図である。
【図２】３ビーム方式の光ピックアップの構成を示す図である。
【図３】光ディスク上のトラック及びトラックジャンプを示す図である。
【図４】上記実施の形態における光ディスクの回転周期の測定動作を示すフローチャートである。
【符号の説明】
１  光ディスク装置
２  光ディスク
３  テーブル
４  スピンドルモータ
５  光ピックアップ
６  トラッキングサーボ機構
７  制御部
８  ＲＦ信号処理部
２１  トラック
２２  セクタ
２３  アドレス信号
【図１】
2004326930.tif 000003
【図２】
2004326930.tif 000004
【図３】
2004326930.tif 000005
【図４】
2004326930.tif 000006
【手続補正書】
【提出日】平成16年3月30日(2004.3.30)
【手続補正１】
【補正対象書類名】明細書
【補正対象項目名】特許請求の範囲
【補正方法】変更
【補正の内容】
【特許請求の範囲】
【請求項１】
光ディスクを回転させるスピンドルモータと、前記光ディスクに対して光ビームを照射してデータの記録及び／又は再生を行う光ピックアップと、前記光ピックアップを前記光ディスクの半径方向に移動させるトラッキングサーボ機構と、前記光ピックアップ及び前記とラッキングサーボ機構を制御する制御部を備えた光ディスク装置において、
前記制御部は、光ディスクの回転周期データが必要になると、
光ディスクのトラック上に記録されているアドレス信号のうち最初に現れるアドレス信号を検出し、検出したアドレス番号及びそのタイミングを記憶し、これと並行して、前記トラッキングサーボ機構を駆動して光ピックアップの位置を現在のトラックから１本内側のトラックにトラックジャンプさせ、前記アドレス信号を再検出すると、記憶したタイミングを用いて光ディスクの回転周期を測定し、その値を記憶する行程を予め設定されている所定回数だけ繰り返し、
前記光ディスクの回転周期の複数の測定値の平均値を演算し、演算された平均値を前記光ディスクの回転周期データとして出力することにより、ＦＧ(Frequency Generator)システムを用いることなく光ディスクの回転周期の測定が可能であると共に、自動調整のためのジッタの測定を自動的に行うことが可能なことを特徴とする光ディスク装置。
【請求項２】
前記ジャンプは、予めＩＣ回路に組み込まれているポーズ(Pause)動作のためのアドレススチルジャンプ機能を用いて行うことを特徴とする請求項１に記載の光ディスク装置。
【手続補正２】
【補正対象書類名】明細書
【補正対象項目名】０００６
【補正方法】変更
【補正の内容】
【０００６】
特許文献３では、光ディスク再生中に、光ディスクの傷などにより別のトラックに光ピックアップが移動するトラックジャンプが発生したときに、誤り訂正能力を低下させることにより、トラックジャンプによる誤訂正を防止している。すなわち、特許文献３におけるトラックジャンプは、光ディスクの傷などに起因する突発的なものであるのに対し、後述する本発明におけるトラックジャンプは光ディスクの回転周期を測定するための意図的なものである点で相違している。なお、トラックジャンプ機能を利用して光ディスクの回転速度などを測定するものとしては、特許文献４及び特許文献５などが知られている。


【手続補正３】
【補正対象書類名】明細書
【補正対象項目名】０００７
【補正方法】変更
【補正の内容】
【０００７】
【特許文献１】
特開平７−２４４９４２号公報  （段落００２４）
【特許文献２】
特開平４−３１３８２１号公報  （段落００２５）
【特許文献３】
特開平１０−２２８６４９号公報  （段落０００５）
【特許文献４】
特開平５−２１７２７９号公報
【特許文献５】
特開平８−３１０８７号公報


【手続補正４】
【補正対象書類名】明細書
【補正対象項目名】００１０
【補正方法】変更
【補正の内容】
【００１０】
【課題を解決するための手段】
上記目的を達成するため、請求項１の発明は、光ディスクを回転させるスピンドルモータと、前記光ディスクに対して光ビームを照射してデータの記録及び／又は再生を行う光ピックアップと、前記光ピックアップを前記光ディスクの半径方向に移動させるトラッキングサーボ機構と、前記光ピックアップ及び前記とラッキングサーボ機構を制御する制御部を備えた光ディスク装置において、前記制御部は、光ディスクの回転周期データが必要になると、光ディスクのトラック上に記録されているアドレス信号のうち最初に現れるアドレス信号を検出し、検出したアドレス番号及びそのタイミングを記憶し、これと並行して、前記トラッキングサーボ機構を駆動して光ピックアップの位置を現在のトラックから１本内側のトラックにトラックジャンプさせ、前記アドレス信号を再検出すると、記憶したタイミングを用いて光ディスクの回転周期を測定し、その値を記憶する行程を予め設定されている所定回数だけ繰り返し、前記光ディスクの回転周期の複数の測定値の平均値を演算し、演算された平均値を前記光ディスクの回転周期データとして出力することにより、ＦＧ(Frequency Generator)システムを用いることなく光ディスクの回転周期の測定が可能であると共に、自動調整のためのジッタの測定を自動的に行うことが可能なことを特徴とする。


【手続補正５】
【補正対象書類名】明細書
【補正対象項目名】００１１
【補正方法】変更
【補正の内容】
【００１１】
このような構成によれば、アドレススチルジャンプ機能により、同一トラック上に記録されているデータを繰り返し再生し、その中に含まれる所定のアドレス信号が検出されてから次に同じ所定のアドレス信号が検出されるまでの時間を測定しているので、光ディスクが１周する回転周期を得ることができる。また、複数回測定した回転周期の平均値を求めているので、光ディスクの偏心などによる回転周期のばらつきを吸収することができ、測定精度が向上する。その結果、ＦＧシステムを廃止することができ、光ディスク装置のコスト低減が可能となる。また、所定の信号として予めアドレス信号を指定しておけば、光ディスク装置の自動調整のために、ジッタの測定などを自動的に行うことができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
また、請求項２の発明は、前記ジャンプは、予めＩＣ回路に組み込まれているポーズ(Pause)動作のためのアドレススチルジャンプ機能を用いて行うことを特徴とする。